(57)【特許請求の範囲】
【請求項１】
筐体の内部にベルト式又はドラム式の図柄表示機構を格納した遊技機の図柄可変表示装置において、筐体が、四角形状のベースと、ベースの後縁部より上方に配置される後壁部及び後壁部より前方に延設された上壁部よりなるカバーと、ベースとカバーとで囲まれた空間に並列配置される複数の側壁とを互いに組立てて前方開放状の内部空間を形成し、図柄表示機構が複数の側壁の間に配置されると共に当該複数の側壁における一方の側壁に組付けられ、他方の側壁に図柄表示機構が組付けられていないことを特徴とする遊技機の図柄可変表示装置。
【請求項２】
ベースが四角形状の底部より前縁部と左右縁部とを上方に曲折形成したことを特徴とする請求項１記載の遊技機の図柄可変表示装置。
【請求項３】
カバーが側面視略弧状に形成されたことを特徴とする請求項１記載の遊技機の図柄可変表示装置。
【請求項４】
複数の側壁が一側方に突出する周壁部を有し、周壁部のうちで側壁がベースとカバーとに組立てられた場合に前側に位置するに前縁部には切欠部が図柄表示機構の前側からの視認領域と位置が対応するよう形成されたことを特徴とする請求項１記載の遊技機の図柄可変表示装置。
【発明の詳細な説明】
【０００１】
【発明の属する技術分野】
本発明は、パチンコ機やスロットマシン等の遊技機に用いられる図柄可変表示装置に関する。
【０００２】
【従来の技術】
パチンコ機やスロットマシン等の遊技機では、始動入賞口への入賞又は遊技者によるスイッチ操作等の所定条件を契機として図柄が可変表示した後に停止し、停止した図柄が設定された所定図柄に揃うことにより、賞球やメダル等の遊技媒体を遊技者に有利な個数払出すことは周知である。このような遊技に使用される図柄可変表示装置としては、液晶やＣＲＴ等の電気的なディスプレイタイプを用いたもの、実公平６−７７３７号公報で開示された図柄ベルトや特開平６４−３７９８４号公報で開示された図柄ドラム等の機械的なディスプレイタイプを用いたものが知られている。
【０００３】
【発明が解決しようとする課題】
しかし、前記従来の機械的なディスプレイタイプの図柄可変表示装置は遊技機の外枠や内枠のような相手側部材に取付けられる構造であるが、ベルト式とドラム式とでは図柄表示機構の構造的な相違から、ベルト式の場合には図柄表示機構を格納する筐体が上下に大きな形状となり、ドラム式の場合には図柄表示機構を格納する筐体が前後に大きな形状であるため、ベルト式とドラム式とで筐体が別々の構造体として形成せざるを得ず、ベルト式図柄可変表示装置やドラム式図柄可変表示装置を相手側部材に取付ける部分の寸法的な取付構造が異なることは否めなかった。
【０００４】
そこで、本発明は、ベルト式とドラム式との双方での共通化が図れる遊技機の図柄可変表示装置を提供するものである。
【０００５】
【課題を解決するための手段】
本発明にあっては、筐体の内部にベルト式又はドラム式の図柄表示機構を格納する遊技機の図柄可変表示装置において、筐体が四角形状のベースと、ベースの後縁部より上方に配置される後壁部及び後壁部より前方に延設された上壁部よりなるカバーと、ベースとカバーとで囲まれた空間に並列配置される複数の側壁とが互いに組立てられて前方開放状の内部空間を形成し、図柄表示機構が複数の側壁の間に配置されると共に当該複数の側壁における一方の側壁に組付けられ、他方の側壁に図柄表示機構が組付けられていないことを特徴としている。よって、本発明によれば、ベースとカバーとでベルト式図柄表示機構及びドラム式図柄表示機構の双方を格納し得る前方開放の内部空間を形成することにより、ベースとカバーとをベルト式とドラム式とで少なくとも共通化でき、図柄表示機構が複数の側壁の間に配置されると共に当該複数の側壁における一方の側壁に組付けられ、他方の側壁に図柄表示機構が組付けられていないので、図柄表示機構の組付けられた側壁が筐体の左右側壁の一方を形成し、筐体の軽量化を図ることができる。又、本発明にあっては、ベースが四角形状の底部より前縁部と左右縁部とを上方に曲折形成すれば、ベースの形状保持性が向上するので、ベースを金属板で形成して軽量化が図れる。又、本発明にあっては、カバーが側面視略弧状に形成されれば、カバーを後壁部と上壁部とに分割した場合に比べ、部品点数が減少すると共にカバーをベースと側壁とに組付けた場合にカバーの形状保持性が向上するので、カバーを金属で形成して軽量化が図れる。又、本発明にあっては、複数の側壁が一側方に突出する周壁部を有し、周壁部のうちで側壁がベースとカバーとに組立てられた場合に前側に位置するに前縁部には切欠部が図柄表示機構の前側からの視認領域と位置が対応するよう形成されれば、図柄表示機構の図柄の表示された図柄ベルト又は図柄の表示された図柄ドラムを側壁に近づけて配置しても、切欠部が図柄表示機構の前側からの視認性を確保し、前縁部が図柄表示機構の遊技者から見られたくない内部に対する目隠しの役目と側壁の剛性向上とに寄与するうえ、図柄表示機構の図柄の表示された図柄ベルト又は図柄の表示された図柄ドラムを側壁に近づけて配置することによって、筐体の横幅を小形にすることができるか又は筐体の横幅を小形にしないで図柄ベルト又は図柄ドラムの横幅を大きくして図柄ベルト又は図柄ドラムに表示される図柄を大形にして見やすくすることができる。
【０００６】
【発明の実施の形態】
図１〜図５は本発明の一実施形態であって、図１は図柄可変表示装置１を分解して示し、図２は図柄可変表示装置１の組立てた正面を示し、図３は１つのドラム式における機構側壁構造体の側面を示し、図４は図柄可変表示装置１の遊技機枠体４０への取付関係を示し、図５は図柄可変表示装置１を用いた遊技機としてのスロットマシンの正面を示す。
【０００７】
図１を参照し、ベルト式の図柄可変表示装置１について説明する。図柄可変表示装置１の筐体２はベース３とカバー４と複数の側壁５；６；７；８とを備えて内部に図柄表示機構１０を格納し得る前方開放状の空間を形成する。ベース３は四角形状の底部３ａの周囲に周壁部３ｂを上方に折り曲げられた鉄系金属板製のトレイ形状である。ベース３の四角形状の底部３ａには、左右の車輪３ｃが前側に位置するように車輪脚３ｄにより回転可能に取付けられると共に、複数の側壁５〜８を取付けるための複数の貫通孔３ｅが形成される。
【０００８】
この実施形態では、合成樹脂製の円柱状の車輪３ｃが金属よりなる門型の車輪脚３ｄの先端部に金属製の車輪軸３ｆで回転し得るように及び脱落しないように取付けられており、ベース３の周壁部３ｂにおける前縁部の左右２個所には切欠部３ｇが底部３ａにかけて形成されており、車輪脚３ｄを切欠部３ｇにあてがうようにしてベース３に位置決めした状態において、車輪脚３ｄの上壁部をベース３の底部３ａの下面にスポット溶接にて結合したことにより、車輪脚３ｄがベース３に取付けられる。
【０００９】
カバー４はベース３の周壁部３ｂにおける後縁部より上方に配置される後壁部４ａと後壁部４ａより前方に延設された上壁部４ｂとを備えた側面視略弧状に形成された鉄系金属板により形成される。カバー４の上壁部４ｂには複数の係合部４ｃが上方に設けられる。この実施形態では、上壁部４ｂの前側に左中右３個所に切欠部４ｄを形成し、各切欠部４ｄの後縁より切起片を上方に向けて切起したことにより、切起片が係合部４ｃとして形成される。各係合部４ｃは前後方向に貫通する取付孔４ｅを備える。カバー４の後壁部４ａと上壁部４ｂとを繋ぐ半円形の連接部４ｆには複数の配線通孔４ｇが形成され、後壁部４ａ及び上壁部４ｂのそれぞれには複数の側壁５〜８を取付けるための複数の貫通孔４ｈが形成される。そして、後壁部４ａの下縁をベース３の後縁部に沿わせるように、又、上壁部４ｂをベース３の底部３ａと上下に離隔して相対峙するように、カバー４とベース３とを合せることにより、ベース３とカバー４とが前方及び左右に開放した空間を形成する。
【００１０】
複数の側壁５〜８はベース３とカバー４とで囲まれた空間に並列配置されてベース３とカバー４とに結合される合成樹脂よりなる板状であって、周縁には合成樹脂よりなる板状の周壁部５ａ；６ａ；７ａ；８ａが一側方に突出するように設けられる。周壁部５ａ〜８ａには止ねじ２５を締結するための複数の取付孔５ｂ；６ｂ；７ｂ；８ｂがベース３の貫通孔３ｅ及びカバー４の貫通孔４ｈと位置が対応するように形成される。周壁部５ａ〜８ａにおける前縁部には切欠部５ｃ；６ｃ；７ｃ；８ｃが図柄表示機構１０の前側からの視認領域と位置が対応するように形成されたことにより、前縁部は図柄表示機構１０の前側からの視認領域以外に設けられた形態である。実施形態の場合、左側に配置される側壁５とそれ以外３つの側壁６〜８とは対称形であり、側壁６〜８は同一形状であり、側壁６〜８にはベルト式の図柄表示機構１０が個別に組付けられる。以下、図柄表示機構１０が組付けられた側壁６〜８を機構付側壁構造体Ａ；Ｂ；Ｃとも称する。
【００１１】
図柄表示機構１０は図柄ベルト１１と駆動プーリ１２と従動プーリ１３とモータ１４と位置検出機構１７とを備える。図柄ベルト１１は数字やアルファベット又はキャラクタ（果物、動植物、人物等を模した絵）等よりなる異なる複数の図柄が表示された合成樹脂よりなる無端状の平ベルト形状である。駆動プーリ１２は側壁６〜８の一側面に取付けられたモータ１４のモータ軸１５と一緒に回転し得るようにモータ軸１５に取付けされた合成樹脂よりなる中抜きされた平ベルト車のような形状である。従動プーリ１３は側壁６〜８に取付けられる支持軸１６を中心として回転し得るように支持軸１６に取付けされた合成樹脂よりなる中抜きされた平ベルト車のような形状であり、駆動プーリ１２よりも外径は小さい。
【００１２】
位置検出機構１７は、側壁６〜８の他側面の外側に個別に設けられており、側壁６〜８の他側面より個別に突出したモータ軸１５に同軸状で一緒に回転するよう取付けられた第１歯車１８と、第１歯車１８に噛合するように側壁６〜８に個別に回転可能に設けられた第２歯車１９と、第２歯車１９に設けられた金属製の突起２０と、突起２０を電気的に検出するように側壁６〜８に個別に取付けられた位置検出器２１とを備え、モータ軸１５の一回転毎に位置検出器２１が突起２０を検出することにより、図柄ベルト１１に対するモータ１４の原点位置検出を行う。位置検出機構１７は側壁６〜８に止ねじ２３で取付けられた覆体２２で覆われる。位置検出機構１７の検出信号が遊技機枠体の内部に取付けられた図外の制御装置に出力されることで、制御装置が３つの図柄表示機構１０を個別に回転及び停止制御する。
【００１３】
筐体２の組立について説明すると、１つの側壁５と３つの機構付側壁構造体Ａ〜Ｃとがベース３の底部３ａに止ねじ２５によりベース３の外側より取付けられる。この場合、止ねじ２５はベース３の貫通孔３ｅより側壁５〜８の取付孔５ｂ〜８ｂに締結される。又、カバー４が１つの側壁５と３つの機構付側壁構造体Ａ〜Ｃとに被せられると共に、機構付側壁構造体Ａ〜Ｃの覆体２２より外側に出た図外の配線をカバー４の内側より配線通孔４ｇを経由してカバー４の外側に引出しておく。その状態において、止ねじ２６がカバー４の貫通孔４ｈより側壁５〜８の取付孔５ｂ〜８ｂに締結される。これによって、筐体２の組立が図２のような正面より見た形状に完成される。
【００１４】
図３を参照し、前記機構付側壁構造体Ａ〜Ｃの何れにも相当する機構付側壁構造体Ｄについて説明する。機構付側壁構造体Ｄは側壁６〜８にドラム式の図柄表示機構３０が組付けられた形態であって、機構付側壁構造体Ａ〜Ｃのそれぞれに代えて３つの機構付側壁構造体Ｄがベース３とカバー４とに図１の止ねじ２５；２６で取付けられることにより、図２のような正面形状の筐体２が完成する。図柄表示機構３０は前記図柄ベルト１１と駆動プーリ１２との総体としての回転体に相当する図柄ドラム３１とモータ１４と位置検出機構１７とを備える。図柄ドラム３１は表面に異なる複数の図柄が表示された合成樹脂よりなる中抜きされた筒状であって、モータ軸１５と一緒に回転し得るようにモータ軸１５に取付けられる。
【００１５】
図４を参照し、前記ベルト式の図柄表示機構１０又はドラム式の図柄表示機構３０を備えた図柄可変表示装置１を遊技機枠体４０の内部に取付ける場合について説明する。前方開放状の遊技機枠体４０の棚部４１上にはガイド４２が設けられる。ガイド４２の上面は平坦な車輪走行面として形成される。ガイド４２には車輪位置決定部４３が車輪走行面から下方に半円形上に窪んだ凹状に形成される。遊技機枠体４０の棚部４１よりも上方に離隔配置された上壁４４には取付部４５が棚部４１の方向に突出するように設けられる。取付部４５には前後に貫通する取付孔４６が形成される。
【００１６】
そして、遊技機枠体４０の前方に配置されたガラス又は合成樹脂よりなる透視性を有するパネル４８が開放され、図柄可変表示装置１が持ち上げられ、車輪３ｃがガイド４２の前端部に乗せられた状態において、図柄可変表示装置１が押されるように前側より後側へ移動させられることによって、車輪３ｃが回転しつつガイド４２の上を走行して車輪位置決定部４３に取込まれて停止する。これによって、取付部４５の前側面と係合部４ｃの後側面とが接触し、取付孔４ｅと取付孔４６との位置が対応する。
【００１７】
それから、固着具としての２股クリップ５１が前側より取付孔４ｅを経由して取付孔４６に挿入され、２股クリップ５１の先端フック５２が取付孔４ｅより裏側に突出して取付孔４６周りの取付部４５の後面に係合し、２股クリップ５１の後端突起５３が取付孔４ｅ周りの係合部４ｃに接触することにより、取付部４５と係合部４ｃとが２股クリップ５１で互いに結合され、図柄可変表示装置１が遊技機枠体４０の内部で所定位置に位置決めされた状態で装着される。この遊技機枠体４０の内部に取付けられた図柄可変表示装置１における図１の駆動プーリ１２又は図３の図柄ドラム３１の前方にはパネル４８に設けられた図柄視認領域４９が配置される。黒色系等のマスク印刷５０がパネル４８の裏側に施される際の印刷抜きにより、図柄視認領域４９はパネル４８に形成される。
【００１８】
前記図柄可変表示装置１を遊技機枠体４０から取外すには、パネル４８が開放された状態において、２股クリップ５１が前側から操作されて係合部４ｃと取付部４５とから取外される。その後、図柄可変表示装置１が引出されるように後側から前側へ人為的に移動させられることによって、車輪３ｃが回転しつつ車輪位置決定部４３から脱出してガイド４２の上を走行し、図柄可変表示装置１が遊技機枠体４０から取外される。２股クリップ５１に代えて止ねじやその他の固着具を使用しても良い。
【００１９】
図５を参照し、前記図柄可変表示装置１をスロットマシン６０に用いた場合について説明する。パチンコ店のような遊技店の島に設置される外枠６１には前枠６２が片開き自在に取付けられる。前枠６２には中央のガラス又は合成樹脂よりなるパネル４８に形成された図柄視認領域４９の裏側に配置された図柄可変表示装置１、パネル４８よりも下側に設けられた上皿装置６３、上皿装置６３よりも下側に配置された下皿装置６４を有する。外枠６１と前枠６２とが図４の遊技機枠体４０を形成する。
【００２０】
そして、球が上皿装置６３に入れられた状態において、遊技者が球投入スイッチ装置６５を１回押すと５個の球が、２回押すと１０個の球が、３回押すと１５個の球が、上皿装置６３よりスロットマシン６０の内部に投入される。その後、遊技者が遊技開始スイッチ装置６６を操作すると、図柄可変表示装置１の３列の図柄が上から下へ可変する。その状態において、遊技者が、例えば、左側の図柄停止スイッチ装置６７を押すと図柄可変表示装置１の左側の図柄が停止し、真中の図柄停止スイッチ装置６７を押すと図柄可変表示装置１の真中の図柄が停止し、右側の図柄停止スイッチ装置６７を押すと図柄可変表示装置１の右側の図柄が停止する。
【００２１】
この遊技者が図柄停止スイッチ装置６７を押す順序はどれを先に押しても良く、押された図柄停止スイッチ装置６７に対応する図柄可変表示装置１の図柄が停止する。これらの停止図柄が図外の制御装置に予め定められた設定図柄に揃うと、それぞれの当りに応じた賞球がスロットマシン６０の裏側の図示しない球払出装置より上皿装置６３に払出される。これ以上の遊技動作は本発明の趣旨より逸脱するので、説明を省略する。
【００２２】
実施形態では車輪脚３ｄをベース３に溶接したが、車輪脚３をベース３に止ねじで固定すれば、車輪脚３ｄとベース３とを容易に分解でき、車輪３ｃの交換や図柄可変表示装置１のリサイクルに有利である。
【００２３】
図３において、位置検出機構１７における第１歯車１８及び第２歯車１９をモータ軸１５より取外し、突起２０をモータ軸１５に一体的に回転し得るように取付け、この突起２０を位置検出器２１で電気的に検出しても良い。
【００２４】
前記図柄可変表示装置１はスロットマシン６０以外にパチンコ機等にも使用できることは勿論である。
【図面の簡単な説明】
【図１】本発明の一実施形態に係る図柄可変表示装置を示す分解斜視図。
【図２】同実施形態の図柄可変表示装置を示す正面図。
【図３】同実施形態のドラム式の機構側壁構造体を示す側面図。
【図４】同実施形態の取付関係を示す側面図。
【図５】同実施形態のスロットマシンの正面を示す。
【符号の説明】
１  図柄可変表示装置
２  筐体
３  ベース
４  カバー
４ｂ  周壁部
５〜８  側壁
５ａ〜８ａ  周壁部
５ｃ〜８ｃ  切欠部
１０；３０  図柄表示機構
【図１】
0003604327.tif 000002
【図２】
0003604327.tif 000003
【図３】
0003604327.tif 000004
【図４】
0003604327.tif 000005
【図５】
0003604327.tif 000006